(57)【特許請求の範囲】
【請求項１】
ネットワーク上のファイルオブジェクトからタグに挟まれた語句を抽出する抽出手段と、該抽出手段により抽出された語句によりテレビ番組表を検索する番組検索手段と、該番組検索手段により検索された結果から番組を予約するテレビ番組予約録画手段と、該テレビ番組録画予約手段で録画されたテレビ番組を再生するテレビ番組再生手段を備えたことを特徴とするファイルオブジェクト閲覧に関連してテレビ番組表を提示し、録画予約、または録画済の番組再生を行うシステム。
【請求項２】
前記抽出手段が、ファイルオブジェクトの語句と電子番組表の説明語句との類似度から特徴を抽出するものであることを特徴とする請求項１に記載されたシステム。
【請求項３】
前記番組検索手段が、電子番組表検索、録画予約済み番組検索、録画済番組検索を順次実行するものであることを特徴とする請求項１または２に記載されたシステム。
【請求項４】
前記電子番組表検索が、現在時刻より以降に放送される番組のみを検索するものであることを特徴とする請求項３に記載されたシステム。
【請求項５】
複数の表示優先順位算出方式を有し、ユーザの好みに合わせて算出方式を変更し、前記番組検索手段により検索された検索結果の順序を並び変え番組表を作成する検索結果整形手段を備えたことを特徴とする請求項１乃至４のいずれか一項に記載のシステム。
【請求項６】
前記検索結果整形手段により作成された番組表をクライアント計算機に表示することを特徴とする請求項５に記載されたシステム。
【請求項７】
クライアント計算機に表示された番組表から録画指定、再生指定ができることを特徴とする請求項６に記載されたシステム。
【請求項８】
ネットワーク上のファイルオブジェクトからタグに挟まれた語句を抽出する抽出手段と、該抽出手段により抽出された語句によりテレビ番組表を検索する番組検索手段と、該番組検索手段により検索された結果から番組を予約するテレビ番組予約録画手段と、該テレビ番組録画予約手段で録画されたテレビ番組を再生するテレビ番組再生手段を備えたファイルオブジェクト閲覧に関連してテレビ番組表を提示し、録画予約、または録画済の番組再生を行うシステムをコンピュータに実行させるためのプログラムを記録したコンピュータ読み取り可能な記録媒体。
【発明の詳細な説明】
【０００１】
【発明の属する技術分野】
本発明は、インターネットのホームページ閲覧時に連携して、ホームページに関連するテレビ番組表を検索し番組表を作成する方法及び作成された番組表にユーザがマウスポインタ等で指示することでテレビ番組を録画予約したり、既に録画されているテレビ番組の再生ができるシステムに関する。
【０００２】
【従来の技術】
特開平１０−１７７５３２号公報には、テレビ番組と連携してインターネットホームページを、自動的にテレビ画面上に表示させる方法が提案されている。この方法は、テレビ番組に含まれるＵＲＬ（Ｕｎｉｆｏｒｍ  Ｒｅｓｏｕｒｃｅ  Ｌｏｃａｔｏｒ）情報を基にホームページを表示させている。
これは、テレビ番組の情報を基にネットワークから情報を得ようとするアーキテクチャであり、日本においては、インフォシティ社の開発したＢｉｔ  Ｃａｓｔなどのサービスにおいて、地上波ＴＶ放送に連動したＵＲＬ情報の提供が行われている。
【０００３】
近年、デジタル多チャンネル放送の普及によりテレビ放送の番組が増えつつあり、見たい番組を電子番組表であるＥＰＧ（Ｅｌｅｃｔｒｏｎｉｃ  Ｐｒｏｇｒａｍ  Ｇｕｉｄｅ）などによりキーワード検索あるいはジャンル検索できる機能を備えた家電製品などが販売されている。
電子番組表は、朝日データ放送株式会社のＡＤＡＭＳ−ＥＰＧなどの方式により地上波テレビ放送とともに定期的に放送されているので、これをテレビやＴＶチューナーを備えたパーソナルコンピュータに蓄積し番組表として閲覧することや検索することが可能である。
【０００４】
しかし、従来インターネット上のファイルオブジェクトの閲覧と同時に、そのページの特徴を抽出し、そのページ内容に近いテレビ番組を、ユーザに提示したり、テレビ番組を、その場で録画予約したり、あるいは予約録画したものもユーザに検索結果として提示して、ユーザに録画済の番組の視聴を促すシステムはなかった。
【０００５】
なお、文書に基づいて文書を検索するシステムが、本発明の技術に類似しているが、この分野に属する文献である特開平７−０８５１０３号公報には、文書を探す場合、キーワードを選ぶのではなく文書を選ぶことによって、文書集合から関連をもつ別の文書を探し出す方法が提案されている。この方法は、文書に含まれるキーワードが何回付与されるかを求め、その多い順に、キーワードを表示することにより検索するものであるが、あくまでも文書検索システムであり、電子番組表のような機能文書を作成するものではない。
【０００６】
【発明が解決しようとする課題】
以上のように、インターネット閲覧とテレビ視聴を融合させた楽しみとして、テレビ番組に連動して、テレビ番組に関係するインターネットのホームページを見ることはできても、逆に、インターネットのホームページを閲覧中に、連動して、ホームページに関係するテレビ番組表を知ることができなかった。
また、ＥＰＧなどでテレビ番組を検索する場合、キーワード入力操作、あるいはジャンル検索を選択することにより、見たい番組を絞り込むことができるが、現在閲覧中のホームページ自体をキーワードとしたテレビ番組表の検索や、検索された番組を、ユーザの好みに合わせた順に、テレビ番組表として提示する方法がなかった。
【０００７】
本発明は、インターネットのファイルオブジェクトの閲覧から、電子番組表を検索し、録画再生制御ができるとともに、ネットワーク上のファイルオブジェクト閲覧から収集する情報以外にテレビ放送から得る情報も収集できるシステムを提供することを目的としている。
【０００８】
さらに、本発明は、ネットワーク上のファイルオブジェクトを閲覧している場合、現在見ているファイルオブジェクトに関連するテレビ番組情報として既に録画されたテレビ番組、または、これから放送されるテレビ番組を、自動的に提示させる方法及び、指定されたテレビ番組を録画予約及び再生することが可能なシステムを提供することを目的としている。
【０００９】
【課題を解決するための手段】
請求項１の発明は、ファイルオブジェクト閲覧に関連してテレビ番組表を提示し、録画予約、または録画済の番組再生を行うシステムにおいて、ネットワーク上のファイルオブジェクトからタグに挟まれた語句を抽出する抽出手段と、該抽出手段により抽出された語句によりテレビ番組表を検索する番組検索手段と、該番組検索手段により検索された結果から所望の番組を予約するテレビ番組予約録画手段と、該テレビ番組録画予約手段で録画されたテレビ番組を再生するテレビ番組再生手段を備えたものである。
【００１１】
請求項２の発明は、請求項１に記載された抽出手段を、ファイルオブジェクトの語句と電子番組の説明語句との類似度から特徴を抽出するものとしたものである。
【００１２】
請求項３の発明は、請求項１または２に記載されたシステムにおける番組検索手段が、電子番組表検索、録画予約済み番組検索、録画済番組検索を順次実行するものとしたものである。
【００１３】
請求項４の発明は、請求項３に記載されたシステムにおける電子番組表検索が、現在時刻より以降に放送される番組のみを検索するものとしたものである。
【００１４】
請求項５の発明は、複数の表示優先順位算出方式を有し、ユーザの好みに合わせて算出方式を変更し、請求項１乃至４のいずれか一項に記載の番組検索手段により検索された検索結果の順序を並び変え番組表を作成する検索結果整形手段を備えたものである。
【００１５】
請求項６の発明は、請求項５に記載されたシステムにおける検索結果整形手段により作成された番組表をクライアント計算機に表示するようにしたものである。
【００１６】
請求項７の発明は、請求項６に記載されたシステムにおけるクライアント計算機に表示された番組表から録画指定、再生指定ができるようにしたものである。
【００１７】
請求項８の発明は、請求項１に記載されたネットワーク上のファイルオブジェクトからタグに挟まれた語句を抽出する抽出手段と、該抽出手段により抽出された語句によりテレビ番組表を検索する番組検索手段と、該番組検索手段により検索された結果から番組を予約するテレビ番組予約録画手段と、該テレビ番組録画予約手段で録画されたテレビ番組を再生するテレビ番組再生手段を備えたファイルオブジェクト閲覧に関連してテレビ番組表を提示し、録画予約、または録画済の番組再生を行うシステムをコンピュータに実行させるためのプログラムを記録した記録媒体である。
【００１８】
【発明の実施の形態】
図１は、本発明のシステムの一実施例の全体を示すブロック図である。
本発明のシステムは、システム全体の制御を行う制御中心１０３と、ファイルオブジェクトの存在するＷｅｂサーバを表すインターネット１１５と、ＷＷＷのファイルオブジェクト内容の特徴抽出手段１０２と、クライアントがアクセスするＷｅｂサーバ上の文書を中継するゲートウェイであるプロキシサーバ１０１と、テレビ番組情報を検索する番組検索手段１０４と、テレビ番組表を記憶しているＥＰＧ  ＤＢ（データベース）１０５と、テレビ録画予約情報を記憶している録画予約済みリストＤＢ１０６と、既に録画されているテレビ番組情報を記憶する録画済リストＤＢ１０７と、番組表を提示するための提示リスト１１０と、検索結果を並び変えて整理する検索結果整形手段１１１と、開始時刻から終了時刻までの指定チャンネルを録画する録画手段１０８と、録画データを蓄積するＭＰＥＧデータＤＢ１０９と、前記録画手段１０８で録画されたテレビ番組をビデオ信号として再生する再生手段１１２とからなるゲートウェイ計算機２００と、受信するためのテレビ信号１１３と、録画された番組を表示するテレビ装置１１４と、ゲートウェイ計算機２００を操作するクライアント計算機３００とで構成されている。
【００１９】
このように、ゲートウェイ計算機２００とクライアント計算機３００のように、大きく２つに分割することで、メインであるゲートウェイ計算機２００を、家庭内に１つ置き、ネットワークで複数のクライアントマシンと接続することも可能になる。また、ゲートウェイ計算機２００とクライアント計算機３００を一体化した製品にすることも可能である。
図２は、ゲートウェイ計算機２００のハードウェア構成を示すブロック図である。
ゲートウェイ計算機２００は、ＣＰＵ２０１、ハードディスク２０２、メモリ２０３、ＭＰＥＧ２エンコーダー装置２０４、Ａ／Ｄ変換装置２０５、テレビチューナー装置２０６（アンテナ２０７に接続されている）、ＭＰＥＧ２デコーダー装置２０８、Ｄ／Ａ変換装置２０９（テレビ装置１１４に接続されている）、通信制御装置２１０（ＬＡＮによりクライアント計算機３００に接続されている）、通信用モデム装置２１１（インターネット１１５に接続されている）を有するものとする。
ハードディスク２０２は、録画手段１０８、再生手段１１２、特徴抽出手段１０２、検索結果整形手段１１１、番組検索手段１０４の各手段からアクセスされ、ＥＰＧ  ＤＢ１０５、録画予約済みリストＤＢ１０６、録画済リストＤＢ１０７、提示リスト１１０、ＭＰＥＧデータＤＢ１０９の各データベース情報を記憶する媒体である。
【００２０】
また、録画手段１０８は、ＭＰＥＧ２エンコーダー装置２０４と、Ａ／Ｄ変換装置２０５と、テレビチューナー２０６で構成され、再生手段１１２は、ＭＰＥＧ２デコーダー装置２０８と、Ｄ／Ａ変換装置２０９によって構成されている。
図３は、クライアント計算機のハードウェア構成を示すブロック図である。
クライアント計算機３００は、メモリ３０１、ＣＰＵ３０２、不揮発メモリ３０３、入力装置３０４、表示装置３０５、ネットワークＩ／Ｏ３０６を有するものとする。これは一般にパーソナルコンピュータと呼ばれる装置に相当する。
クライアント計算機３００のＷＷＷブラウザは、ゲートウェイ計算機２００にあるプロキシサーバ１０１を中継してインターネットアクセスしているので、ゲートウェイ計算機２００は、ＷＷＷのファイルオブジェクトの内容を抽出することが可能である。詳しくは、特開平１０−０２１１３４号公報に、中継の仕方が解説されている。
【００２１】
図４は、本発明のシステムの動作手順を示すフローチャート図である。
以下に、図４のフローチャートに従い、図１乃至図３のブロック図を参照して動作手順を説明する。
まず、クライアント計算機３００は、内蔵するＷＷＷブラウザから（プロキシサーバ１０１を中継して）ネットワーク１１５上のファイルオブジェクトにアクセスする（ステップＳ１）。
【００２２】
特徴抽出手段１０２は、常時、プロキシサーバ１０１のデータ転送を監視しているので、クライアント計算機３００からのアクセス要求の検知と、応答のファイルオブジェクトから特徴とするキーワードを抽出する（ステップＳ２）。
ファイルオブジェクトは、ＨＴＭＬ（Ｈｙｐｅｒ  Ｔｅｘｔ  Ｍａｒｋｕｐ  Ｌａｎｇｕａｇｅ）と呼ばれるＷＷＷの情報を発信するために考案された記述言語であり、タグ（ｔａｇ）と呼ばれる記号で特定の文字を挟むことにより、ブラウザ上で自由なレイアウト表示を行うことができ、ホットスポット（ホットリンク）から他のファイルにジャンプできるハイパーリンク機能も備えている。
【００２３】
図５は、ファイルオブジェクトのＨＴＭＬの一例を示す図である。
この実施例では、そのタグの内のファイルオブジェクトのタイトルタグである“＜ＴＩＴＬＥ＞”から“＜／ＴＩＴＬＥ＞”に囲まれた語句と、ハイパーリンクを行うタグ“＜ＡＨＥＲＦ＝○×△＞”から“＜／Ａ＞”に囲まれている語句は、全てファイルオブジェクトの特徴であるとする。
これらのタグに挟まれた語句を、特徴抽出手段１０２が、キーワードとして抽出する。
キーワードとして抽出するには、語句を形態素解析し、名詞のみ抽出する。この名詞は最大１０個等とする。
【００２４】
図６は、図５に示された例において、ファイルオブジェクトの特徴として抽出したキーワードである。
すなわち、ファイルオブジェクトからは、特徴キーワードとして“ゴルフ”、“尾崎兄弟”、“ドライバ”という３つの語句が抽出された。これらの単語を、論理和でテレビ番組表を検索する。この結果、上記いずれかのキーワードを、番組タイトル（番組の説明）に含むテレビ番組が検索される。
また、これ以外の検索方法として意味ベクトル方式など、文書全体の意味をベクトル化し、電子番組表の番組説明文の意味ベクトルとの内積を演算し、数値の高い順に提示するなどの検索方法も用いることができる（参考文献“Ｓｈｅｒｌｏｃｋ自然文検索の謎”、山本高樹：Ｍａｃ  Ｆａｎ  ｉｎｔｅｒｎｅｔ、（株）毎日コミュニケーションズ１９９９年３月号）。
【００２５】
番組検索手段１０４は、順次、電子番組表検索・予約済番組検索・録画済番組検索の３つの検索を実施して、所望の番組を検索し提示リスト１１０を作成することを目的としている。
【００２６】
次に、ステップＳ２で抽出されたキーワードにて、ＥＰＧ  ＤＢ１０５から、現在時刻より過去の番組を対象とせずに、現在時刻より未来である、これから放送されるテレビ番組を対象に検索する電子番組表検索を実施し、該当するテレビ番組を抽出し、提示リスト１１０を作成する（ステップＳ３）。
なお、現在時刻は、ゲートウェイ計算機の内蔵するＯＳタイマから得られるので特に図示していない。
【００２７】
ここで、電子番組データベースであるＥＰＧ  ＤＢ１０５は、ＡＤＡＭＳ−ＥＰＧ方式などテレビ放送されるＥＰＧデータを、テレビ信号１１３より収集し、検索可能なデータベースに変換したものであって、約１週間分のデータを不揮発な記憶領域であるハードディスク２０２の記憶媒体に記憶している。ＥＰＧデータ自体は、テレビチューナー装置２０６の文字データ放送受信機能を使って受信可能であり、また、インターネット経由でも収集できるので、特に、図面には収集手段を明示していない。
図７は、ＥＰＧ  ＤＢに記憶されたデータ例を示す図である。
テレビ番組表のデータ構造は、１つの番組に、番組ＩＤ、放送日付、開始時刻、終了時刻、ＣＨ番号、放送局、タイトル、内容を説明する２００バイト程度のテキスト文が記憶されている。
【００２８】
そして、ステップＳ３で作成された提示リスト１１０の中に既に録画予約されている番組がないかを、録画予約済みリストＤＢ１０６から検索する予約済番組検索を行い、既に録画されている番組があれば、提示リストに録画予約済みである情報を与え提示リスト１１０を修正する（ステップＳ４）。
図８は、録画予約リストＤＢに記憶されたデータ例を示す図である。
図示のように録画予約リストＤＢは、１つの番組に対して番組ＩＤ、放送日付、開始時刻、終了時刻、ＣＨ番号を記憶しているので、提示リスト１１０の番組ＩＤが、録画予約済みリストＤＢの番組ＩＤの中にも存在してないかを検索することで予約済番組検索が実現できる。
【００２９】
次いで、ステップＳ２で抽出したキーワードにて、録画済リストＤＢ１０７から録画済のテレビ番組を検索する登録済番組検索を実行し、該当するテレビ番組があれば提示リスト１１０へ録画済である情報を加えて追加する（ステップＳ５）。
図９は、前記ステップＳ３〜Ｓ５後に生成された提示リストの例を示す図である。
なお、リストの情報欄の「未」、「予約」、「済」は、それぞれ「録画予約未」、「録画予約済み」、「録画済」を表す情報である。
【００３０】
検索結果整形手段１１１には、前記ステップＳ３〜Ｓ５を経て作成された提示リスト１１０を、各番組の放送日時が現在時刻に最も近い順にソートすることによって、現在時刻に近い順に並べる手段や、特徴抽出手段１０２で抽出したキーワードが含まれる番組を、そのキーワードの数によりソートすることによって検索の適応度順に並べる手段や、例えば１８：００から２３：００までの間の番組は除いて指定時刻範囲内に限定する手段や、今日の分または１週間分などのように日時を限定する手段や、録画予約済みや、録画済みや、これから放送される番組のいずれかを優先してソートしたり、録画予約済みや、録画済みや、これから放送される番組のいずれかを除く手段等がある。ユーザは、これら検索結果整形手段１１１のうち、いずれか１つまたは複数選択することで、クライアント計算機３００がユーザの好みに合ったテレビ番組表を提示する（ステップＳ６）。
図１０は、検索結果整形手段の提示リストの例を示す図である。
検索結果整形手段１１１の提示リスト１１０の提示例として、現在時刻に近い順に並べた例と、検索の適応度から並べた例を示す。
【００３１】
図１１は、クライアント計算機の画面表示例を示す図である。
提示リスト１１０は、約１秒に１回のタイミングで、常時、最新データがクライアント計算機の画面に、画面右側に提示リスト１１０が表示されている。これらクライアント計算機側のソフトウェアで、定期自動更新しているからである。
【００３２】
従って、クライアントが、ネットワーク上のファイルオブジェクトを閲覧すると、その直後に該当ページを基にテレビ番組表及び録画予約済み及び録画済みデータを一覧にした電子番組表が作られ、クライアント計算機３００のユーザに提示されることになる。
【００３３】
ステップＳ６において、クライアント計算機３００の表示装置３０５に出力された提示リストの中に、録画したいテレビ番組があるか否かを判断し（ステップＳ７）、録画予約したい番組がある場合、提示リストの左端にある録画確認欄のチェックボックスを、入力装置３０４のマウスにてカーソルを合わせてマウスボタンをクリック操作することでテレビ番組を指定する。
このイベントは、番組ＩＤとともにネットワーク経由でゲートウェイ計算機２００の録画予約手段に伝達され、録画予約が行われる。
制御中心１０３に組み込まれた録画予約手段は、ステップＳ７で指定されたテレビ録画番組を録画予約済みリストＤＢ１０６に保存する（ステップＳ８）。
【００３４】
録画予約済みリストＤＢ１０６の各テレビ番組の録画開始時刻が来るとテレビ信号１１３よりテレビチューナー装置２０６を通して所定のＣＨ番号のテレビ放送を終了時刻まで受信し、ＭＰＥＧデータＤＢ１０９のハードディスク等の記録媒体に番組ＩＤをインデックスとして記録する。
前記記録方式にはＭＰＥＧ２（Ｍｏｖｉｎｇ  Ｐｉｃｔｕｒｅ  Ｅｘｐｅｒｔｓ  Ｇｒｏｕｐ）と呼ばれる形式で、動画をＡ／Ｄ変換装置２０５にて、アナログ信号をデジタル信号に変換してコンピュータで扱いやすくし、膨大な動画データをデータ圧縮手段で圧縮して記憶する。なおビデオの録画はＭＰＥＧ２に限定されるものではない。
【００３５】
録画が完了したテレビ番組は、録画予約済みリストＤＢ１０７から削除後、録画済リストＤＢに、前記録画がされたテレビ番組情報が記憶される。
録画予約済みリストＤＢ１０６の内容は、図８の録画予約リストＤＢ例のように番組ＩＤ、放送日付、開始時刻、終了時刻、ＣＨ番号が記憶されている。
図１２は、録画済リストＤＢの一例を示す図である。
録画済リストＤＢの内容は、図のように、１つの番組に、番組ＩＤ、放送日付、開始時刻、終了時刻、ＣＨ番号、放送局、タイトル、内容が記憶されている。例外処理として、指定されたテレビ番組と既に録画済予約リストにあるテレビ番組の録画時間帯が重なる場合、つまり同一時間帯に複数のテレビ番組を録画しようとした場合、対象となる既に録画予約済みの番組を取り消すかどうかをユーザに選択させる手段も備える。
次いで、ステップＳ９へ進む。
また、録画予約したい番組がなくて、テレビ番組が指定されなかった場合は、直接ステップＳ９へ進む。
【００３６】
次に、ステップＳ６において、クライアント計算機３００に出力された提示リストの中に、再生したい番組があるか否かを判断し（ステップＳ９）、再生したい番組が、録画済のテレビ番組であり、それを指定した場合、ステップＳ１０へ進む。何も指定されない場合は、ステップＳ１へ戻る。
【００３７】
再生手段１１２は、ステップＳ９で指定された録画済のテレビ番組をＭＰＥＧデータＤＢ１０９のハードディスク等の記憶媒体より指定された番組ＩＤのＭＰＥＧ２形式の圧縮データをＭＰＥＧ２デコーダー２０８で伸張し、Ｄ／Ａ変換装置２０９にて、デジタル信号をアナログ信号に変換することでテレビ装置１１４へ出力する（ステップＳ１０）。
次いで、ステップＳ１へ戻る。
【００３８】
以上説明した本発明のシステムは、コンピュータを所定の手順で動作させることで実現できる。この所定の手順を記述したプログラムは、コンピュータで読み取り可能な記録媒体に格納されている。本発明においては、この記録媒体として、図示していないメモリ、例えばＲＯＭのようなものそのものがプログラムメディアであっもよいし、また外部記憶装置としてプロラム読み取り装置を設け、そこに記録媒体を挿入することで読み取り可能なプログラムメディアであってもよい。いずれの場合においても、格納されているプログラムは、マイクロプロセッサがアクセスして実行させる構成であってもよいし、あるいはプログラムを読み出し、読み出したプログラムを、コンピュータの図示されていないプログラム記憶エリアにダウンロードして、そのプログラムが実行される方式であってもよい。このダウンロード用のプログラムは予め本体装置に格納されているものとする。
【００３９】
ここで前記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００４０】
また、本発明においては、インターネットを含む通信ネットワークと接続可能なシステム構成であることから、通信ネットワークからプログラムをダウンロードするように流動的にプログラムを担持する媒体であってもよい。尚、このように通信ネットワークからプログラムをダウンロードする場合には、そのダウンロード用プログラムは予め装置本体に格納しておくか、あるいは別の記録媒体からインストールされるものであってもよい。
尚、記録媒体に格納されている内容としては、プログラムに限定されず、データも含まれることはいうまでもない。
【００４１】
【発明の効果】
以上のように、本発明のシステムによれば、ネットワーク上のファイルオブジェクトを閲覧しているだけで、ファイルオブジェクト自体から抽出されたキーワードを基にテレビ番組情報及び録画済情報及び録画予定情報を検索し、ユーザの好みに合わせた順に番組を提示してくれる。
また、同時にテレビ番組を録画予約したり、録画済のテレビ番組を再生することができる。
これによってネットワーク上のファイルオブジェクトの閲覧とテレビ番組検索操作とビデオ機器操作を連携させたシステムを実現できる。
【００４２】
そして、ネットワーク上のファイルオブジェクトを閲覧とともに、テレビ番組表が自動的に提示されるので、テレビ番組を探し出す手間の省略化や、テレビ番組の録画予約操作の簡略化、従来は別々に操作していたファイルオブジェクトの閲覧とテレビ番組検索操作とビデオ機器操作を、スムーズに連携操作ができる効果もある。
特に、各請求項に係る発明により、以下のような効果がもたらされる。
請求項１の発明によれば、ネットワーク上のファイルオブジェクトを閲覧中に、自動的に現在見ているファイルオブジェクトの内容を解析し、そのファイルオブジェクトに関連するテレビ番組情報を提示することで、これから放送される番組の確認や、見たい番組の録画予約や、既に録画されている番組の再生を行うことができるので、インターネット上以外のテレビ放送からも情報収集することができる。
【００４３】
請求項２の発明によれば、クライアント計算機のユーザは、キーワード入力やファイルを入力する操作なしにファイルオブジェクト閲覧するだけで、そのページから抽出された特徴を基にテレビ番組を探し出すことができ、文字入力の手間が省略化できる。
【００４４】
請求項３の発明によれば、ＥＰＧを検索する以外に、既に録画予約されている番組や録画済の番組も同時に検索した番組情報を、ユーザへ提示することができるので、これから放送される番組や、録画予約状況や、既に録画されている番組情報を同時に確認することができる。
【００４５】
請求項４の発明によれば、これから放送されるＥＰＧ情報のみ検索することで、ユーザに、録画に必要な番組情報のみを提供することができる。
【００４６】
請求項５の発明によれば、提示された番組表をユーザの好みの順にソートすることで、ユーザの好みに応じた番組表を提示することができる。
【００４７】
請求項６の発明によれば、ネットワークのファイルオブジェクトを閲覧することにより自動的にテレビ番組表を提示できるので、テレビ番組表を検索する操作なしにファイルオブジェクト閲覧とテレビ番組表の確認が同時にできる。
【００４８】
請求項７の発明によれば、さらに録画再生操作が一連の操作で可能となるので、従来は、別々に操作していたネットワークのファイルオブジェクトの閲覧とテレビ番組検索操作とビデオ録画再生操作を、スムーズに行うことができる。
【図面の簡単な説明】
【図１】本発明の一実施例のシステム全体を示すブロック図である。
【図２】図１中のゲートウェイ計算機のハードウェア構成を示すブロック図である。
【図３】図１中のクライアント計算機のハードウェア構成を示すブロック図である。
【図４】本発明のシステムの処理手順を示すフローチャートである。
【図５】ファイルオブジェクトのＨＴＭＬの例を示した図である。
【図６】特徴抽出後のキーワード例を示した図である。
【図７】ＥＰＧ    ＤＢの概要を示した図である。
【図８】録画予約リストＤＢ例を示した図である。
【図９】提示リスト内容例を示した図である。
【図１０】検索結果整形手段の提示リストの表示例を示した図である。
【図１１】クライアント計算機への画面表示例を示した図である。
【図１２】録画済リストＤＢ例を示した図である。
【符号の説明】
１０１…プロキシサーバ、１０２…特徴抽出手段、１０３…制御中心、１０４…番組検索手段、１０５…ＥＰＧ  ＤＢ、１０６…録画予約済みリストＤＢ、１０７…録画済リストＤＢ、１０８…録画手段、１０９…ＭＰＥＧデータＤＢ、１１０…提示リスト、１１１…検索結果整形手段、１１２…再生手段、１１３…テレビ信号、１１４…テレビ装置、１１５…インターネット、２００…ゲートウェイ計算機、２０１…ＣＰＵ、２０２…ハードディスク、２０３…メモリ、２０４…ＭＰＥＧ２エンコーダー装置、２０５…Ａ／Ｄ変換装置、２０６…テレビチューナー装置、２０７…アンテナ、２０８…ＭＰＥＧ２デコーダー装置、２０９…Ｄ／Ａ変換装置、２１０…通信制御装置、２１１…通信用モデム装置、３００…クライアント計算機、３０１…メモリ、３０２…ＣＰＵ、３０３…不揮発メモリ、３０４…入力装置、３０５…表示装置、３０６…ネットワークＩ／Ｏ。
【図１】
0003606764.tif 000002
【図２】
0003606764.tif 000003
【図３】
0003606764.tif 000004
【図４】
0003606764.tif 000005
【図５】
0003606764.tif 000006
【図６】
0003606764.tif 000007
【図７】
0003606764.tif 000008
【図８】
0003606764.tif 000009
【図９】
0003606764.tif 000010
【図１０】
0003606764.tif 000011
【図１１】
0003606764.tif 000012
【図１２】
0003606764.tif 000013